(57)【要約】【課題】乾燥フィルタに関するメンテナンス性の向上を図れる洗濯乾燥機を提供する。【解決手段】洗濯乾燥機１は、水が溜められる外槽３と、外槽３に接続された循環路２０と、外槽３内の空気を取出口２０Ｄから循環路２０内に取り出して戻し口２０Ｅから外槽３内に戻す電動のファン２１と、循環路２０内の空気を加熱する加熱部２２とを含む。ファン２１および加熱部２２は、循環路２０内に設けられる。洗濯乾燥機１は、循環路２０内においてファン２１および加熱部２２よりも取出口２０Ｄ側に配置された乾燥フィルタＦと、給水部５０と、乾燥フィルタＦにおける異物の付着量を検出する電流センサ２３Ａとを含む。乾燥フィルタＦは、循環路２０内で取出口２０Ｄから取出口２０Ｄへ向かう空気から異物を捕獲する。異物の付着量が所定量を上回ると、乾燥フィルタＦから異物を除去するために給水部５０によって乾燥フィルタＦに給水する掃除工程が実行される。【選択図】図１
2020178914.tif 000002
【特許請求の範囲】
【請求項１】
水が溜められる外槽と、
前記外槽内に収容され、洗濯物を収容する洗濯槽と、
前記外槽に接続された取出口および戻し口を有する循環路と、
前記循環路内に設けられる電動のファンであって、前記外槽内の空気を前記取出口から前記循環路内に取り出して前記戻し口から前記外槽内に戻すことによって循環させるファンと、
前記循環路内に設けられ、前記循環路内の空気を加熱する加熱部と、
前記循環路内において前記ファンおよび前記加熱部よりも前記取出口側に配置され、前記循環路内で前記取出口から前記戻し口へ向かう空気から異物を捕獲する乾燥フィルタと、
前記乾燥フィルタに給水する給水部と、
前記乾燥フィルタにおける異物の付着量を検出する付着量検出手段と、
前記ファン、前記加熱部および前記給水部を制御する制御部であって、前記洗濯槽内の洗濯物を乾燥させるために前記ファンおよび前記加熱部を作動させる乾燥工程を実行する制御部とを含み、
前記付着量検出手段が検出する異物の付着量が所定量を上回ると、前記制御部は、前記乾燥フィルタから異物を除去するために前記給水部によって前記乾燥フィルタに給水する掃除工程を実行する、洗濯乾燥機。
【請求項２】
前記付着量検出手段は、前記ファンの電流値を検出する検出部を含み、
前記検出部が検出する前記ファンの電流値が所定値を下回ると、前記制御部は、異物の付着量が所定量を上回ったと判断し、前記掃除工程を実行する、請求項１に記載の洗濯乾燥機。
【請求項３】
前記制御部は、前記掃除工程後の前記乾燥フィルタから水を除去するために前記ファンを作動させる水除去工程を実行する、請求項１または２に記載の洗濯乾燥機。  
【請求項４】
前記循環路内において、前記加熱部は、前記ファンよりも前記戻し口側に配置され、
前記水除去工程における前記ファンの回転数は、前記乾燥工程における前記ファンの回転数よりも低い、請求項３に記載の洗濯乾燥機。
【発明の詳細な説明】
【技術分野】
【０００１】
この発明は、洗濯乾燥機に関する。
【背景技術】
【０００２】
下記特許文献１に記載の洗濯乾燥機は、水が溜められる外槽と、外槽内に配置されて洗濯物を収容するドラムと、外槽に接続された空気吸い込み口および空気吐出口を有する循環風路と、ブロアおよびヒータを有する送風ユニットとを含む。ブロアが稼働すると、外槽内の空気は、空気吸い込み口から循環風路内に吸い込まれて空気吐出口から外槽内へ流入するように循環する。循環する空気は、循環風路内においてヒータによって加熱される。加熱された空気によって、ドラム内の洗濯物が乾燥する。循環する空気に含まれるリントなどの異物を捕獲する乾燥フィルタが、送風ユニットに配置される。乾燥フィルタは、清掃のために送風ユニットから取り外すことができる。
【先行技術文献】
【特許文献】
【０００３】
【特許文献１】特開２０１１−２４４９８４号公報
【発明の概要】
【発明が解決しようとする課題】
【０００４】
特許文献１に記載の洗濯乾燥機では、使用者が乾燥フィルタを定期的に取り外して掃除する必要があるので、乾燥フィルタのメンテナンスに手間がかかる。さらに、乾燥フィルタを取り外す前の状態では乾燥フィルタの汚れ具合つまり異物の付着量を把握できないので、使用者が、メンテナンスが必要なほど汚れてはいない乾燥フィルタを、その状態に気付かずに清掃のために取り外すと、その作業は無駄になってしまう。
【０００５】
この発明は、かかる背景のもとでなされたもので、乾燥フィルタに関するメンテナンス性の向上を図れる洗濯乾燥機を提供することを目的とする。
【課題を解決するための手段】
【０００６】
本発明は、水が溜められる外槽と、前記外槽内に収容され、洗濯物を収容する洗濯槽と、前記外槽に接続された取出口および戻し口を有する循環路と、前記循環路内に設けられる電動のファンであって、前記外槽内の空気を前記取出口から前記循環路内に取り出して前記戻し口から前記外槽内に戻すことによって循環させるファンと、前記循環路内に設けられ、前記循環路内の空気を加熱する加熱部と、前記循環路内において前記ファンおよび前記加熱部よりも前記取出口側に配置され、前記循環路内で前記取出口から前記戻し口へ向かう空気から異物を捕獲する乾燥フィルタと、前記乾燥フィルタに給水する給水部と、前記乾燥フィルタにおける異物の付着量を検出する付着量検出手段と、前記ファン、前記加熱部および前記給水部を制御する制御部であって、前記洗濯槽内の洗濯物を乾燥させるために前記ファンおよび前記加熱部を作動させる乾燥工程を実行する制御部とを含み、前記付着量検出手段が検出する異物の付着量が所定量を上回ると、前記制御部が、前記乾燥フィルタから異物を除去するために前記給水部によって前記乾燥フィルタに給水する掃除工程を実行する、洗濯乾燥機である。
また、本発明は、前記付着量検出手段が、前記ファンの電流値を検出する検出部を含み、前記検出部が検出する前記ファンの電流値が所定値を下回ると、前記制御部が、異物の付着量が所定量を上回ったと判断し、前記掃除工程を実行することを特徴とする。
【０００７】
また、本発明は、前記制御部が、前記掃除工程後の前記乾燥フィルタから水を除去するために前記ファンを作動させる水除去工程を実行することを特徴とする。
【０００８】
また、本発明は、前記循環路内において、前記加熱部が、前記ファンよりも前記戻し口側に配置され、前記水除去工程における前記ファンの回転数が、前記乾燥工程における前記ファンの回転数よりも低いことを特徴とする。
【発明の効果】
【０００９】
本発明によれば、洗濯乾燥機の乾燥工程では、作動する電動のファンによって、外槽内の空気が、取出口から循環路内に取り出されて戻し口から外槽内に戻るように循環する。循環する空気は、循環路内で加熱部によって加熱されることによって熱風となり、洗濯槽内の洗濯物を乾燥させる。循環路内においてファンおよび加熱部よりも取出口側に配置された乾燥フィルタが、循環のために循環路内で取出口から戻し口へ向かう空気に含まれる異物を捕獲する。そのため、空気中の異物が加熱部に付着することを抑制できる。
洗濯乾燥機では、捕獲されて乾燥フィルタに付着する異物の付着量が検出され、その付着量が所定量を上回ると乾燥フィルタの掃除工程が実行される。一例として、異物の付着量が増えると、乾燥フィルタにおいて空気が通過できる領域が減少して乾燥フィルタの通気性が低下することにより、循環路内においてファンと乾燥フィルタとの間の領域で空気が流れにくくなる。すると、ファンの回転に対する空気抵抗が減少するので、これに応じてファンの電流値が低下する。つまり、ファンの電流値は、乾燥フィルタにおける異物の付着量を示す指標の一例である。乾燥フィルタにおける異物の付着量が所定量を上回ると、ファンの電流値が所定値を下回るので、この場合には、掃除工程が実行されて、給水部によって乾燥フィルタに給水される。これにより、乾燥フィルタに付着した異物が、乾燥フィルタを流れ落ちる水によって乾燥フィルタから剥がれされる。この異物は、例えば、循環路内を落下して取出口から外槽内に到達し、外槽の排水時に外槽内から除去される。
このように洗濯乾燥機が乾燥フィルタの自動メンテナンス機能を有し、乾燥フィルタは、ある程度汚れた適切なタイミングに自動メンテナンスされる。そのため、使用者は、乾燥フィルタを取り外してメンテナンスをしなくてもよい。よって、乾燥フィルタに関するメンテナンス性の向上を図れる。
【００１０】
また、本発明によれば、掃除工程によって乾燥フィルタが濡れるが、掃除工程後の水除去工程においてファンが作動することにより、循環路内を流れる空気によって乾燥フィルタから水が除去される。これにより、水膜による乾燥フィルタの目詰りを解消して乾燥フィルタの通気性を回復できるので、その後の乾燥工程では、空気が乾燥フィルタを円滑に通過できることによって循環路と外槽との間で円滑に循環できる。そのため、洗濯槽内の洗濯物を効果的に乾燥させることができる。そして、使用者は、掃除工程によって濡れた乾燥フィルタを取り外して乾かさなくてよいので、乾燥フィルタに関するメンテナンス性の一層の向上を図れる。
【００１１】
また、本発明によれば、水除去工程におけるファンの回転数は、乾燥工程におけるファンの回転数よりも低いので、水除去工程中では、循環路内を流れる空気の勢いを抑えることができる。そのため、乾燥フィルタから除去された水が、循環路内を流れる空気に乗って下流側の加熱部に到達して加熱部を濡らすことを防止できる。これにより、加熱部の故障を防止できるので、メンテナンス性の向上を図れる。
【図面の簡単な説明】
【００１２】
【図１】図１は、この発明の一実施形態に係る洗濯乾燥機の模式的な縦断面左側面図である。
【図２】図２は、洗濯乾燥機内に配置された外槽および乾燥ユニットを後側から見た斜視図である。
【図３】図３は、外槽および乾燥ユニットの分解斜視図である。
【図４】図４は、乾燥ユニットを構成するフィルタユニットの背面図である。
【図５】図５は、フィルタユニットの平面図である。
【図６】図６は、フィルタユニットの分解斜視図である。
【図７】図７は、フィルタユニットの斜視図である。
【図８】図８は、図４のＡ−Ａ矢視断面図である。
【図９】図９は、図５のＢ−Ｂ矢視断面図である。
【図１０】図１０は、図５のＣ−Ｃ矢視断面図である。
【図１１】図１１は、縦断面を含む乾燥ユニットの斜視図である。
【図１２】図１２は、縦断面を含む外槽および乾燥ユニットの要部斜視図である。
【図１３】図１３は、乾燥ユニットを構成するダクトおよびフィルタユニットの斜視図である。
【図１４】図１４は、洗濯乾燥機において実行される乾燥工程、掃除工程および水除去工程を示すフローチャートである。
【図１５】図１５は、ダクトおよびフィルタユニットの斜視図である。
【発明を実施するための形態】
【００１３】
以下には、図面を参照して、この発明の実施形態について具体的に説明する。図１は、この発明の一実施形態に係る洗濯乾燥機１の模式的な縦断面左側面図である。図１の紙面に直交する方向を洗濯乾燥機１の左右方向Ｘといい、図１における左右方向を洗濯乾燥機１の前後方向Ｙといい、図１における上下方向を洗濯乾燥機１の上下方向Ｚという。左右方向Ｘのうち、図１の紙面における奥側を右側Ｘ１といい、図１の紙面における手前側を左側Ｘ２という。前後方向Ｙのうち、図１における左側を前側Ｙ１といい、図１における右側を後側Ｙ２という。上下方向Ｚのうち、上側を上側Ｚ１といい、下側を下側Ｚ２という。洗濯乾燥機１は、いわゆるドラム式の洗濯乾燥機である。洗濯乾燥機１は、筐体２と、筐体２内に配置された外槽３と、外槽３に接続された給水路４および排水路５と、排水路５を通って外槽３から排出される水から異物を捕獲する排水フィルタ６と、外槽３内に収容された洗濯槽７と、洗濯槽７を回転させるモータ８と、洗濯槽７内の洗濯物Ｌを乾燥させる乾燥ユニット９とを含む。
【００１４】
筐体２は、ボックス状に形成される。筐体２の前面２Ａは、例えば垂直面である。前面２Ａには、筐体２の内外を連通させる開口２Ｂが形成される。前面２Ａには、開口２Ｂを開閉する扉１０が設けられる。
【００１５】
外槽３は、吊り棒（図示せず）を介して、筐体２によって弾性支持される。外槽３は、水平方向Ｈに沿って前後方向Ｙに延びる軸線Ｊを中心とした円筒状の円周壁３Ａと、円周壁３Ａの中空部分を後側Ｙ２から塞いだ円盤状の背面壁３Ｂと、円周壁３Ａの前端縁につながったリング状の正面壁３Ｃとを有する。背面壁３Ｂは、垂直に配置され、外周部３Ｄと、外周部３Ｄよりも後側Ｙ２へ一段突出した中央部３Ｅとを有する。中央部３Ｅの中心には、軸線Ｊに沿って中央部３Ｅを前後方向Ｙに貫通した貫通孔３Ｆが形成される。正面壁３Ｃは、円周壁３Ａの前端縁から軸線Ｊ側へ張り出した円環状の第１部３Ｇと、第１部３Ｇの内周縁から前側Ｙ１へ突出した円筒状の第２部３Ｈと、第２部３Ｈの前端縁から軸線Ｊ側へ張り出した円環状の第３部３Ｉとを有する。第３部３Ｉの内側には、円周壁３Ａの中空部分に前側Ｙ１から連通した出入口３Ｊが形成される。出入口３Ｊは、筐体２の開口２Ｂに対して後側Ｙ２から対向して連通する。
【００１６】
給水路４は、蛇口（図示せず）に接続された一端（図示せず）と、外槽３の背面壁３Ｂにおける例えば中央部３Ｅに接続された他端４Ａとを有する。給水時には、蛇口からの水が給水路４から外槽３内に供給される。外槽３内には、水道水や、水道水に洗剤が溶けた洗剤水などの水が溜められる。給水路４の途中には、給水を開始したり停止したりするために開閉される給水弁１１が設けられる。
【００１７】
排水路５は、外槽３の下端部、例えば正面壁３Ｃの第１部３Ｇの下端部に接続される。外槽３内の水は、排水路５から機外に排出される。排水路５の途中には、排水を開始したり停止したりするために開閉される排水弁１２が設けられる。
【００１８】
排水フィルタ６は、排水路５において排水弁１２よりも外槽３に近い上流部に設けられる。排水フィルタ６の前端は、筐体２の前面２Ａに露出されるので、使用者は、排水フィルタ６の前端を掴んで排水フィルタ６を筐体２に対して着脱させることができる。排水フィルタ６の構成として、公知の構成を用いることができる。
【００１９】
洗濯槽７は、外槽３よりも一回り小さい。洗濯槽７は、外槽３の円周壁３Ａと同軸上に配置された円筒状の円周壁７Ａと、円周壁７Ａの中空部分を後側Ｙ２から塞いだ円盤状の背面壁７Ｂと、円周壁７Ａの前端縁から軸線Ｊ側へ張り出した円環状の環状壁７Ｃとを有する。洗濯槽７において少なくとも円周壁７Ａには、複数の貫通孔７Ｄが形成され、外槽３内の水は、貫通孔７Ｄを介して、外槽３と洗濯槽７との間で行き来する。そのため、外槽３内の水位と洗濯槽７内の水位とは、一致する。洗濯槽７の背面壁７Ｂの中心には、軸線Ｊに沿って後側Ｙ２へ延びる支持軸１３が設けられる。支持軸１３の後端部は、外槽３の背面壁３Ｂの貫通孔３Ｆを通って背面壁３Ｂよりも後側Ｙ２に配置される。
【００２０】
環状壁７Ｃの内側には、円周壁７Ａの中空部分に前側Ｙ１から連通した出入口７Ｅが形成される。出入口７Ｅは、外槽３の出入口３Ｊおよび筐体２の開口２Ｂに対して後側Ｙ２から対向して連通する。出入口３Ｊおよび出入口７Ｅは、開口２Ｂとともに、扉１０によって一括開閉される。洗濯乾燥機１の使用者は、開放された開口２Ｂ、出入口３Ｊおよび出入口７Ｅを介して、洗濯槽７内に洗濯物Ｌを出し入れする。
【００２１】
モータ８は、筐体２内において、外槽３の背面壁３Ｂの後側Ｙ２に配置される。モータ８は、洗濯槽７に設けられた支持軸１３に連結される。モータ８が発生した駆動力は、支持軸１３に伝達され、洗濯槽７が、支持軸１３を伴って軸線Ｊまわりに回転する。なお、モータ８と支持軸１３と間には、モータ８の駆動力を支持軸１３に伝達したり遮断したりするクラッチ機構（図示せず）が設けられてもよい。
【００２２】
乾燥ユニット９は、循環路２０と、ファン２１と、加熱部２２とを含む。循環路２０は、筐体２内において外槽３の上側Ｚ１に配置された流路である。循環路２０は、前後方向Ｙに延びる途中部分２０Ａと、途中部分２０Ａの後端から下側Ｚ２へ延びる後部分２０Ｂと、途中部分２０Ａの前端から下側Ｚ２へ延びる前部分２０Ｃとを有する。後部分２０Ｂの下端部の前端には、取出口２０Ｄが形成される。取出口２０Ｄは、外槽３の背面壁３Ｂの外周部３Ｄにおいて上限水位よりも高い部分に接続され、外槽３内に後側Ｙ２から連通する。前部分２０Ｃの下端には、戻し口２０Ｅが形成される。戻し口２０Ｅは、外槽３の正面壁３Ｃの第２部３Ｈの上端部に接続され、外槽３内に上側Ｚ１から連通する。
【００２３】
ファン２１は、循環路２０内において取出口２０Ｄに近い上流側の領域に配置された回転羽根２１Ａと、回転羽根２１Ａを回転させる電動のモータ２１Ｂとを含む。回転羽根２１Ａおよびモータ２１Ｂのそれぞれの回転数は、この実施形態では同じであり、当該回転数をファン２１の回転数という。回転羽根２１Ａが回転すると、外槽３内の空気、つまり外槽３内および洗濯槽７内の空気が、太い破線矢印で示すように、取出口２０Ｄから循環路２０内に取り出された後に、戻し口２０Ｅから外槽３内に戻される。これにより、外槽３内の空気は、外槽３と循環路２０とを順に流れるように循環する。洗濯乾燥機１は、ファン２１のモータ２１Ｂにおける電流値を検出する検出部の一例としての電流センサ２３Ａと、ファン２１の回転数を検出する回転数センサ２３Ｂとを含む。電流センサ２３Ａおよび回転数センサ２３Ｂとして、公知のセンサをそれぞれ採用できる。
【００２４】
加熱部２２は、ヒートポンプにおける熱交換器または一般的なヒータなどであり、この実施形態の加熱部２２は、ヒートポンプの熱交換器を構成するコンプレッサである。加熱部２２の少なくとも一部は、循環路２０内に設けられる。加熱部２２において循環路２０内に設けられた部分は、循環路２０内において、ファン２１の回転羽根２１Ａよりも戻し口２０Ｅ側つまり下流側に配置される。加熱部２２において循環路２０内に設けられた部分は、フィン状の放熱部２２Ａを複数有する。洗濯乾燥機１は、加熱部２２以外にヒートポンプを構成する部材として、冷媒を加熱部２２経由で循環させる配管２２Ｂなどを含む。加熱部２２が作動すると、加熱部２２を流れる冷媒が圧縮されて高温になり、放熱部２２Ａが、この冷媒の熱が伝達されることによって高温になる。これにより、循環路２０内を流れる空気が放熱部２２Ａの周囲を通過する際に加熱されて熱風になる。
【００２５】
洗濯乾燥機１は、マイコンとして構成された制御部２４を含む。制御部２４には、モータ８、給水弁１１、排水弁１２、ファン２１、加熱部２２、電流センサ２３Ａおよび回転数センサ２３Ｂなどの電気部品が電気的に接続される。制御部２４には、電流センサ２３Ａが検出するファン２１の電流値や、回転数センサ２３Ｂが検出するファン２１の回転数がリアルタイムで入力される。そして、制御部２４は、モータ８、給水弁１１、排水弁１２、ファン２１および加熱部２２の動作を制御することによって洗濯乾燥運転を実行する。洗濯乾燥運転は、洗い工程と、すすぎ工程と、脱水工程と、乾燥工程とを含む。
【００２６】
洗い工程の開始に先立って、洗濯槽７内に洗剤が投入される。制御部２４は、洗い工程では、排水弁１２を閉じた状態で、給水弁１１を所定時間開いて外槽３および洗濯槽７に給水してから、モータ８によって洗濯槽７を回転させる。これにより、洗濯槽７内の洗濯物Ｌが、たたき洗いされる。たたき洗いでは、洗濯物Ｌがある程度持ち上げられてから水面に自然落下するというタンブリングが繰り返される。タンブリングによる衝撃や、洗濯槽７に溜まった洗剤水に含まれる洗剤成分によって、洗濯物Ｌから汚れが取り除かれる。タンブリングの開始から所定時間が経過した後に、制御部２４が排水弁１２を開いて排水すると、洗い工程が終了する。
【００２７】
制御部２４は、すすぎ工程では、排水弁１２を閉じた状態で、給水弁１１を所定時間開いて外槽３および洗濯槽７に給水してから、モータ８によって洗濯槽７を回転させる。すると、前述したタンブリングが繰り返されるので、洗濯物Ｌが洗濯槽７内の水道水によってすすがれる。タンブリングの開始から所定時間が経過した後に、制御部２４が排水すると、すすぎ工程が終了する。すすぎ工程は、複数回繰り返されてもよい。制御部２４は、脱水工程では、排水弁１２を開いた状態で、洗濯槽７を脱水回転させる。洗濯槽７の脱水回転により生じた遠心力によって、洗濯槽７内の洗濯物Ｌが脱水される。脱水により洗濯物Ｌから染み出た水は、排水路５から機外に排出される。脱水工程は、すすぎ工程後だけでなく、洗い工程後にも実施されてもよい。
【００２８】
制御部２４は、乾燥工程では、ファン２１および加熱部２２を作動させることによって熱風を発生させて洗濯槽７と循環路２０との間で循環させ、洗濯槽７内の洗濯物Ｌに供給する。これにより、洗濯物Ｌが乾燥する。洗濯運転ではリントなどの異物が発生して、この異物が乾燥工程中において熱風に乗って流れる。異物が加熱部２２の放熱部２２Ａに付着して蓄積すると、加熱部２２での加熱効率の低下や循環路２０における空気の流れの悪化に伴う性能低下が生じるおそれがあるので、この異物を捕獲する必要がある。そこで、乾燥ユニット９は、フィルタユニット２５と、分岐路２６と、注水弁２７とをさらに含む。以下では、ファン２１および循環路２０について詳しく説明した後に、フィルタユニット２５、分岐路２６および注水弁２７について説明する。
【００２９】
図２は、外槽３および乾燥ユニット９を後側Ｙ２から見た斜視図である。ファン２１は、回転羽根２１Ａを収容した中空円盤状のケーシング２９を含む。ケーシング２９は、循環路２０の一部であり、筐体２に固定される。ケーシング２９の内部空間は、循環路２０内における途中部分２０Ａと後部分２０Ｂとの接続部を構成する。
【００３０】
図３は、外槽３および乾燥ユニット９の分解斜視図である。循環路２０は、後部分２０Ｂのほとんどを占めるダクト３０と、ケーシング２９とダクト３０とをつないだ接続ホース３１とを含む。ダクト３０は、本体３２と、カバー３３（図２参照）とを含む。
【００３１】
本体３２は、外槽３の円周壁３Ａの左上部分に沿って左下側へ下降するように湾曲した湾曲壁３２Ａと、前側Ｙ１へ膨出した略半円の板状であって湾曲壁３２Ａの右端から左側Ｘ２へ延びる天壁３２Ｂとを有する。湾曲壁３２Ａと天壁３２Ｂとの間には、右側Ｘ１へ向かうにつれて上下方向Ｚに狭くなった下流空間３２Ｃが区画される。天壁３２Ｂは、左側Ｘ２へ向かうにつれて下降するように、水平方向Ｈに対して傾斜して延びる。天壁３２Ｂには、上側Ｚ１へ突出した円筒状の上連結部３２Ｄが設けられる。上連結部３２Ｄの内部空間は、下流空間３２Ｃに上側Ｚ１から連通した状態にある。下流空間３２Ｃおよび上連結部３２Ｄの内部空間は、循環路２０の後部分２０Ｂの内部空間の一部を構成する。本体３２は、下流空間３２Ｃを前側Ｙ１および左側Ｘ２から塞ぐように湾曲壁３２Ａおよび天壁３２Ｂの端縁間に架設された側壁３２Ｅを有する。
【００３２】
本体３２は、湾曲壁３２Ａの後端から下側Ｚ２へ延びる第１縦壁３２Ｆと、第１縦壁３２Ｆの下端から後側Ｙ２へ突出した横壁３２Ｇとを有する。第１縦壁３２Ｆの上端は、湾曲壁３２Ａに沿って円弧状に湾曲し、第１縦壁３２Ｆの下端は、左側Ｘ２へ向かうにつれて下降するように水平方向Ｈに対して傾斜しながら直線状に延びる。横壁３２Ｇは、帯状であり、第１縦壁３２Ｆの下端に沿って水平方向Ｈに対して傾斜しながら延びる。側壁３２Ｅの後端部は、下流空間３２Ｃよりも後側Ｙ２に配置される。側壁３２Ｅの後端部の下部分は、第１縦壁３２Ｆおよび横壁３２Ｇのそれぞれの左端に接続される。
【００３３】
本体３２は、側壁３２Ｅの後端部および横壁３２Ｇを縁取った背面視Ｌ字形状の第２縦壁３２Ｈを有する。第２縦壁３２Ｈの下端部には、前述した取出口２０Ｄが単数または複数形成される。この実施形態では、上下方向Ｚに長い長穴状の取出口２０Ｄが、１つ形成され、第２縦壁３２Ｈを前後方向Ｙに貫通する。第２縦壁３２Ｈには、取出口２０Ｄを縁取りつつ前側Ｙ１へ突出した筒状の下連結部３２Ｉが設けられる。外槽３の背面壁３Ｂには、取出口２０Ｄと同形状の貫通孔３Ｋが形成される。下連結部３２Ｉは、貫通孔３Ｋに後側Ｙ２から挿入される。これにより、取出口２０Ｄは、背面壁３Ｂに接続されて外槽３内に連通する。
【００３４】
本体３２は、第１縦壁３２Ｆの右縁、ならびに第２縦壁３２Ｈの左縁、下縁および右縁を連続して縁取りつつ後側Ｙ２へ突出した外壁３２Ｊを有する。外壁３２Ｊは、背面視で略Ｕ字状に形成され、外壁３２Ｊの２つの上端部は、天壁３２Ｂの後端部の左端および右端にそれぞれ接続される。外壁３２Ｊにおいて天壁３２Ｂの右端に接続された上端部には、前側Ｙ１へ窪んだ切欠き３２ＪＡが形成される。外壁３２Ｊの外周面において前寄りの領域には、当該外周面から突出した第１係止部３２ＪＢが複数設けられる。ボルトＢ１（図２参照）が、各第１係止部３２ＪＢに形成された挿通穴に挿通され、外槽３の背面壁３Ｂにおいて対応する位置に設けられたねじ穴３Ｌに組み付けられる。これにより、本体３２を含むダクト３０の全体が外槽３に固定される。本体３２には、側壁３２Ｅの後端部と横壁３２Ｇと天壁３２Ｂと外壁３２Ｊの右部分とによって区画された途中空間３２Ｋが形成される。途中空間３２Ｋは、背面視で略矩形状であり、前後方向Ｙに薄い空間であって、第１縦壁３２Ｆに後側Ｙ２から隣接して、下流空間３２Ｃに後側Ｙ２から連通する。
【００３５】
本体３２は、第２縦壁３２Ｈから後側Ｙ２へ突出した縦仕切り板３２Ｌおよび横仕切り板３２Ｍを有する。縦仕切り板３２Ｌは、途中空間３２Ｋに左側Ｘ２から隣接して配置され、天壁３２Ｂの後端部から下側Ｚ２に延びて、取出口２０Ｄにおける上側Ｚ１の縁につながる。縦仕切り板３２Ｌの途中部には、上下方向Ｚに長手の長方形状に形成された貫通穴３２Ｎが形成される。横仕切り板３２Ｍは、途中空間３２Ｋよりも下側Ｚ２かつ取出口２０Ｄよりも上側Ｚ１に配置され、縦仕切り板３２Ｌの途中部と外壁３２Ｊの右部分との間に架設される。横仕切り板３２Ｍは、左側Ｘ２へ向かうにつれて下降するように水平方向Ｈに対して傾斜しながら、天壁３２Ｂおよび横壁３２Ｇと略平行に延びる。横仕切り板３２Ｍの上面部の左端は、縦仕切り板３２Ｌの貫通穴３２Ｎの下端につながる。横仕切り板３２Ｍの途中部には、横仕切り板３２Ｍを左右方向Ｘにおいて二分するスリット３２Ｐが形成される。スリット３２Ｐ内における第２縦壁３２Ｈの後面部には、ねじ穴３２Ｑが形成される。
【００３６】
本体３２には、縦仕切り板３２Ｌと横仕切り板３２Ｍと天壁３２Ｂと外壁３２Ｊの右部分とによって区画された配置空間３２Ｒが形成される。配置空間３２Ｒは、背面視で略矩形状であり、前後方向Ｙに薄い空間であって、途中空間３２Ｋに後側Ｙ２から連通する。配置空間３２Ｒにおいて横壁３２Ｇよりも上側Ｚ１の部分は、背面視で途中空間３２Ｋの全域に重なる。配置空間３２Ｒには、フィルタユニット２５が配置される。本体３２には、縦仕切り板３２Ｌにおいて貫通穴３２Ｎよりも下側Ｚ２の部分と、横仕切り板３２Ｍと、外壁３２Ｊの右部分および下部分とによって区画された上流空間３２Ｓが形成される。上流空間３２Ｓは、背面視で下側Ｚ２へ膨出する略半円形状をなす空間であって、横仕切り板３２Ｍを挟んで配置空間３２Ｒの下側Ｚ２に位置し、取出口２０Ｄに後側Ｙ２から連通する。
【００３７】
本体３２には、外壁３２Ｊの左部分と縦仕切り板３２Ｌとによって左右方向Ｘの両側から挟まれて上下方向Ｚに細長く延びる縦空間３２Ｔが形成される。縦空間３２Ｔは、第２縦壁３２Ｈの左端部によって前側Ｙ１から塞がれ、天壁３２Ｂの左端部によって上側Ｚ１から塞がれる。縦空間３２Ｔの下端は、上流空間３２Ｓに左側Ｘ２から連通する。本体３２は、縦仕切り板３２Ｌにおいて貫通穴３２Ｎよりも上側Ｚ１の部分と外壁３２Ｊの左部分との間に架設された遮断板３２Ｕを含む。縦空間３２Ｔは、その途中に位置する遮断板３２Ｕによって、遮断板３２Ｕよりも下側Ｚ２の下領域と、遮断板３２Ｕよりも上側Ｚ１の上領域とに二分される。貫通穴３２Ｎは、遮断板３２Ｕの下領域に右側Ｘ１から連通する。
【００３８】
カバー３３（図２参照）は、背面視において本体３２の外壁３２Ｊおよび天壁３２Ｂとほぼ一致した輪郭を有し、下側Ｚ２へ向かうにつれて幅狭になった板状に形成される。カバー３３には、その外縁から張り出した複数の係止部３３Ａ（図２参照）が設けられる。係止部３３Ａに対応して、本体３２の外壁３２Ｊの外周面において後寄りの領域には、当該外周面から突出した第２係止部３２ＪＣが複数設けられる。ボルト（図示せず）が、各係止部３３Ａに形成された挿通穴に挿通され、対応する第２係止部３２ＪＣの後端面に設けられたねじ穴３２ＪＤに組み付けられる。これにより、カバー３３が本体３２に後側Ｙ２から固定されて、ダクト３０が完成する（図２参照）。
【００３９】
完成したダクト３０では、本体３２の後面側に設けられた配置空間３２Ｒ、上流空間３２Ｓおよび縦空間３２Ｔが、カバー３３によって後側Ｙ２から塞がれる。縦仕切り板３２Ｌおよび遮断板３２Ｕのそれぞれの後端がカバー３３の前面部に接触する。そのため、縦仕切り板３２Ｌを挟んで配置された配置空間３２Ｒと縦空間３２Ｔの下領域とは、縦仕切り板３２Ｌの貫通穴３２Ｎ以外では連通しない。また、縦空間３２Ｔにおいて遮断板３２Ｕを挟んで配置された下領域と上領域とは、遮断される。横仕切り板３２Ｍの後端とカバー３３の前面部との間には隙間Ｑ（図１２参照）があるので、配置空間３２Ｒと上流空間３２Ｓとは、この隙間Ｑを介して連通する。
【００４０】
接続ホース３１は、例えばゴム製の円筒であり、その内部空間は、上側Ｚ１および下側Ｚ２に開放される。接続ホース３１において上端部と下端部との間には、蛇腹部３１Ａが設けられる。接続ホース３１の下端部は、ダクト３０の上連結部３２Ｄに対して外嵌される。接続ホース３１の上端部は、ファン２１のケーシング２９に連結される。接続ホース３１の内部空間は、循環路２０の後部分２０Ｂの内部空間の一部を構成する。洗濯乾燥運転中に外槽３の振動がファン２１へ伝達されることが、蛇腹部３１Ａの弾性変形によって抑制される。
【００４１】
図４は、フィルタユニット２５の背面図である。背面視におけるフィルタユニット２５の全体形状は、左側Ｘ２へ向かうにつれて下降するように水平方向Ｈに対して傾斜した二辺と、上下方向Ｚに沿って略垂直に延びる別の二辺とを有する矩形状、詳しくは平行四辺形状に形成される。図５は、フィルタユニット２５の平面図である。フィルタユニット２５は、前後方向Ｙに薄い箱状に形成される。
【００４２】
図６は、フィルタユニット２５の分解斜視図である。フィルタユニット２５は、第１フィルタ部材４１と、第２フィルタ部材４２と、給水カバー４３とを含む。
【００４３】
第１フィルタ部材４１は、背面視で略矩形状の輪郭を有する枠部４１Ａと、枠部４１Ａから前側Ｙ１へ突出した左右一対の縦壁４１Ｂと、枠部４１Ａの下端から前側Ｙ１へ突出した底壁４１Ｃとを有する。枠部４１Ａの上縁および下縁は、左側Ｘ２へ向かうにつれて下降するように水平方向Ｈに対して傾斜する。枠部４１Ａの右縁および左縁は、上下方向Ｚに沿って略垂直に延びる。枠部４１Ａの右縁の下端部は、下側Ｚ２へ向かうにつれて左側Ｘ２にずれるように湾曲する。枠部４１Ａの上縁には、上側Ｚ１へ突出しつつ当該上縁に沿って左右方向Ｘに延びるリブ状の上差込部４１Ｄが設けられる。
【００４４】
背面視における枠部４１Ａのほぼ全域には、枠部４１Ａを前後方向Ｙに貫通する開口４１Ｅが設けられる。枠部４１Ａは、開口４１Ｅを縦断する単数または複数の縦リブ４１Ｆを有する。この実施形態では、２つの縦リブ４１Ｆが左右方向Ｘに並んで設けられ、開口４１Ｅは、これらの縦リブ４１Ｆによって、左右方向Ｘに並ぶ３つの小開口４１ＥＡへと均等に区分される。各小開口４１ＥＡは、縦長の長方形状、厳密には、枠部４１Ａの上縁および下縁と平行になった二辺を有する平行四辺形状に形成される。
【００４５】
第１フィルタ部材４１には、各小開口４１ＥＡの全域を覆う乾燥フィルタＦ１が設けられる。この実施形態における乾燥フィルタＦ１は、枠部４１Ａに取り付けられたメッシュシートであるが、枠部４１Ａに一体形成された格子であってもよい。乾燥フィルタＦ１において上下左右に沿って延びる後面部を、縦面部Ｆ１Ａという。枠部４１Ａの後面部において開口４１Ｅよりも下側Ｚ２には、後側Ｙ２へ突出しつつ開口４１Ｅの下端に沿って左右方向Ｘに延びる横リブ４１Ｇが設けられる。
【００４６】
一対の縦壁４１Ｂは、枠部４１Ａの右縁から前側Ｙ１へ突出して上下方向Ｚに延びる右縦壁４１ＢＡと、枠部４１Ａの左縁から前側Ｙ１へ突出して上下方向Ｚに延びる左縦壁４１ＢＢとを含む。右縦壁４１ＢＡの下端部は、枠部４１Ａの右縁の下端部に沿って湾曲する。右縦壁４１ＢＡの前端部は、左右方向Ｘにおいて一段狭くなって上下方向Ｚに延びるリブ状の右差込部４１ＢＣを構成する。一対の縦壁４１Ｂにおける一方である左縦壁４１ＢＢの下端部には、左縦壁４１ＢＢを左右方向Ｘに貫通した逃がし穴４１ＢＤが形成される。左縦壁４１ＢＢにおいて逃がし穴４１ＢＤよりも上側Ｚ１の部分の前端部は、左右方向Ｘにおいて一段狭くなって上下方向Ｚに延びるリブ状の左差込部４１ＢＥを構成する。
【００４７】
底壁４１Ｃは、右縦壁４１ＢＡおよび左縦壁４１ＢＢの下端間に架設される。底壁４１Ｃの上面部４１ＣＡは、左側Ｘ２の逃がし穴４１ＢＤへ向かうにつれて下降するように水平方向Ｈに対して傾斜して逃がし穴４１ＢＤにつながる。左右方向Ｘにおける底壁４１Ｃの中央部には、底壁４１Ｃから下側Ｚ２へ突出した係止部４１ＣＢが設けられる。係止部４１ＣＢには、係止部４１ＣＢを前後方向Ｙに貫通する挿通穴４１ＣＣが形成される。
【００４８】
第２フィルタ部材４２は、背面視で略矩形状の輪郭を有する枠部４２Ａと、枠部４２Ａの上縁から後側Ｙ２へ突出した天壁４２Ｂと有する。枠部４２Ａの上縁および下縁は、左側Ｘ２へ向かうにつれて下降するように水平方向Ｈに対して傾斜する。枠部４２Ａの右縁および左縁は、上下方向Ｚに沿って略垂直に延びる。枠部４２Ａの右縁の下端部は、下側Ｚ２へ向かうにつれて左側Ｘ２にずれるように湾曲する。
【００４９】
背面視における枠部４２Ａのほぼ全域には、枠部４２Ａを前後方向Ｙに貫通する開口４２Ｃが設けられる。枠部４２Ａは、開口４２Ｃを縦断する単数または複数の縦リブ４２Ｄを有する。この実施形態では、２つの縦リブ４２Ｄが左右方向Ｘに並んで設けられ、開口４２Ｃは、これらの縦リブ４２Ｄによって、左右方向Ｘに並ぶ３つの小開口４２ＣＡへと均等に区分される。各小開口４２ＣＡは、第１フィルタ部材４１の各小開口４１ＥＡと同じ大きさの長方形状、厳密には平行四辺形状に形成される。
【００５０】
第２フィルタ部材４２には、各小開口４２ＣＡの全域を覆う乾燥フィルタＦ２が設けられる。この実施形態における乾燥フィルタＦ２は、上下左右に沿って枠部４２Ａに取り付けられたメッシュシートであるが、枠部４２Ａに一体形成された格子であってもよい。乾燥フィルタＦ２において上下左右に沿って延びる後面部を、縦面部Ｆ２Ａという。
【００５１】
以下では、第１フィルタ部材４１の乾燥フィルタＦ１と、第２フィルタ部材４２の乾燥フィルタＦ２とを「乾燥フィルタＦ」と総称することがある。乾燥フィルタＦ１の縦面部Ｆ１Ａと、乾燥フィルタＦ２の縦面部Ｆ２Ａとを「縦面部ＦＡ」と総称することがある。
【００５２】
枠部４２Ａの後面部において開口４２Ｃよりも右側Ｘ１には、枠部４２Ａの右縁に沿って上下方向Ｚに延びる一対の右リブ４２Ｅが設けられる。これらの右リブ４２Ｅの間には、上下方向Ｚに延びる右差込溝４２Ｆが形成される。枠部４２Ａの後面部において開口４２Ｃよりも左側Ｘ２には、枠部４２Ａの左縁に沿って上下方向Ｚに延びる一対の左リブ４２Ｇが設けられる。これらの左リブ４２Ｇの間には、上下方向Ｚに延びる左差込溝４２Ｈが形成される。
【００５３】
天壁４２Ｂは、左右方向Ｘに長手の長方形板状であって枠部４２Ａの上縁に沿って左下へ傾斜して配置された本体部４２ＢＡと、本体部４２ＢＡよりも短い長方形板状であって本体部４２ＢＡの右端から水平方向Ｈに沿って右側Ｘ１へ延びる延設部４２ＢＢとを有する。本体部４２ＢＡは、平面視において本体部４２ＢＡの全体の輪郭をなす長方形板状の下部４２ＢＣと、下部４２ＢＣの上面部に設けられて平面視において下部４２ＢＣの輪郭の内側に配置される長方形板状の上部４２ＢＤとを有する。下部４２ＢＣの下面部の後端部には、左右方向Ｘに延びる上差込溝４２ＢＥ（後述する図１５参照）が形成される。延設部４２ＢＢは、平面視において延設部４２ＢＢの全体の輪郭をなす長方形板状の下部４２ＢＦと、下部４２ＢＦの上面部に設けられて平面視において下部４２ＢＦの輪郭の内側に配置される長方形板状の上部４２ＢＧとを有する。下部４２ＢＦの左端は、本体部４２ＢＡの下部４２ＢＣの右端につながり、上部４２ＢＧの左端は、本体部４２ＢＡの上部４２ＢＤの右端につながる。天壁４２Ｂの上面部には、下部４２ＢＣおよび下部４２ＢＦの上面部の一部として平面視で上部４２ＢＤおよび上部４２ＢＧを取り囲む額縁状の外縁部４２Ｋが形成される。
【００５４】
本体部４２ＢＡには、同一形状かつ同一寸法の給水口４２Ｊが複数形成される。それぞれの給水口４２Ｊは、縦、つまり上下方向Ｚに直線状に延びて下部４２ＢＣおよび上部４２ＢＤの両方を貫通する（後述する図９および図１０参照）。各給水口４２Ｊは、略矩形状の平断面を有し、この平断面は、上下方向Ｚにおける給水口４２Ｊのどの位置でも同じである。給水口４２Ｊの平断面が、給水口４２Ｊの流路面積である。これらの給水口４２Ｊは、上部４２ＢＤの後端部の全域に分布して左右方向Ｘに沿って等間隔で一列に並ぶ複数の第１給水口４２ＪＡと、上部４２ＢＤの前端部の全域に分布して左右方向Ｘに沿って等間隔で一列に並ぶ複数の第２給水口４２ＪＢとを含む。この実施形態では、第１給水口４２ＪＡおよび第２給水口４２ＪＢは、１２個ずつ設けられる。前述した上差込溝４２ＢＥは、第１給水口４２ＪＡの列と第２給水口４２ＪＢの列との間に配置される（図１５参照）。
【００５５】
給水カバー４３は、左右方向Ｘに長手で中空の本体部４３Ａと、本体部４３Ａに右側Ｘ１から接続された中空の接続部４３Ｂとを有する。本体部４３Ａの下面部４３ＡＡは、左側Ｘ２へ向かうにつれて下降するように水平方向Ｈに対して傾斜する。本体部４３Ａの内部空間４３ＡＢは、下面部４３ＡＡのほぼ全域にわたって形成された開口４３ＡＣ（図８参照）から下側Ｚ２へ開放される。接続部４３Ｂの下面部４３ＢＡは、水平方向Ｈに沿って延びる。接続部４３Ｂの内部空間４３ＢＢは、下面部４３ＢＡのほぼ全域にわたって形成された開口４３ＢＣ（図８参照）から下側Ｚ２へ開放される。接続部４３Ｂの開口４３ＢＣは、本体部４３Ａの開口４３ＡＣに右側Ｘ１からつながり、接続部４３Ｂの内部空間４３ＢＢは、本体部４３Ａの内部空間４３ＡＢに右側Ｘ１から連通する。接続部４３Ｂの後面部には、例えば後側Ｙ２へ延びるパイプ状の管部４３ＢＤが設けられる。管部４３ＢＤの内部空間４３ＢＥは、接続部４３Ｂの内部空間４３ＢＢに後側Ｙ２から連通する。本体部４３Ａの内部空間４３ＡＢと、接続部４３Ｂの内部空間４３ＢＢと、管部４３ＢＤの内部空間４３ＢＥとは、一体となって給水カバー４３内の流路４３Ｃを構成する。管部４３ＢＤの後端面に形成されて内部空間４３ＢＥを後側Ｙ２へ開放する円形状の開口が、流路４３Ｃの流入口４３ＣＡを構成する。流入口４３ＣＡの開口面積が、流入口４３ＣＡの流路面積である。
【００５６】
次に、フィルタユニット２５の組み立てについて説明する。作業者は、第１フィルタ部材４１の右差込部４１ＢＣ、左差込部４１ＢＥおよび上差込部４１Ｄを、第２フィルタ部材４２の右差込溝４２Ｆ、左差込溝４２Ｈおよび上差込溝４２ＢＥ（図１５参照）にそれぞれ差し込むことによって、第１フィルタ部材４１と第２フィルタ部材４２とを組み合わせる。そして、作業者は、給水カバー４３を第２フィルタ部材４２の天壁４２Ｂに上側Ｚ１から載せることによって、給水カバー４３と第２フィルタ部材４２とを組み合わせる。これにより、フィルタユニット２５が完成する。なお、給水カバー４３と第２フィルタ部材４２とを組み合わせてから、第１フィルタ部材４１と第２フィルタ部材４２とを組み合わせてもよい。
【００５７】
図７は、完成したフィルタユニット２５の斜視図である。完成したフィルタユニット２５では、第１フィルタ部材４１の枠部４１Ａが、第２フィルタ部材４２の枠部４２Ａの後側Ｙ２に配置される。これにより、枠部４１Ａに取り付けられた乾燥フィルタＦ１が、枠部４２Ａに取り付けられた乾燥フィルタＦ２に後側Ｙ２から重なって配置される。このように隣り合う乾燥フィルタＦ１および乾燥フィルタＦ２の間には、スペースＳが確保される。第１フィルタ部材４１の右縦壁４１ＢＡおよび左縦壁４１ＢＢは、横から、つまり左右方向Ｘの両側からスペースＳを挟む。左縦壁４１ＢＢに形成された逃がし穴４１ＢＤは、スペースＳに左側Ｘ２から連通し、スペースＳの外に臨む。第１フィルタ部材４１の底壁４１Ｃは、枠部４２Ａの下端に接続され、スペースＳを下側Ｚ２から塞ぐ。第２フィルタ部材４２の天壁４２Ｂの本体部４２ＢＡは、スペースＳを上側Ｚ１から塞ぐ。天壁４２Ｂと、天壁４２Ｂを上側Ｚ１から覆う給水カバー４３とは、乾燥フィルタＦに給水する給水部５０を構成する。
【００５８】
図８は、図４のＡ−Ａ矢視断面図である。給水カバー４３の下面部において本体部４３Ａの開口４３ＡＣおよび接続部４３Ｂの開口４３ＢＣを縁取った外縁部は、天壁４２Ｂの上面部の外縁部４２Ｋの全域に上側Ｚ１から接触する（図６も参照）。天壁４２Ｂの上部４２ＢＤおよび上部４２ＢＧは、給水カバー４３の流路４３Ｃ内に下側Ｚ２から嵌る。給水カバー４３内の流路４３Ｃは、天壁４２Ｂに形成された全ての給水口４２Ｊに上側Ｚ１から接続される。
【００５９】
図９は、図５のＢ−Ｂ矢視断面図である。給水カバー４３において流路４３Ｃの一部を構成する本体部４３Ａの内部空間４３ＡＢでは、前後方向Ｙの幅Ｗが略一定であるが（図８参照）、高さ寸法Ｄが左側Ｘ２へ向かうにつれて小さくなる。このような高さ寸法Ｄを実現するために、本体部４３Ａの天壁４３ＡＤの上下方向Ｚの厚さが、左側Ｘ２へ向かうにつれて増えるように構成される。給水口４２Ｊのうち後側Ｙ２の第１給水口４２ＪＡは、第１フィルタ部材４１の乾燥フィルタＦ１の縦面部Ｆ１Ａと前後方向Ｙおよび左右方向Ｘにおいて同じ位置に配置され、縦面部Ｆ１Ａよりも上側Ｚ１に配置される。これにより、複数の第１給水口４２ＪＡは、対応する乾燥フィルタＦ１の縦面部Ｆ１Ａに沿って横つまり左右方向Ｘに並び、縦面部Ｆ１Ａに上側Ｚ１から臨む。
【００６０】
図１０は、図５のＣ−Ｃ矢視断面図である。第２フィルタ部材４２の乾燥フィルタＦ２の縦面部Ｆ２Ａは、乾燥フィルタＦ１と乾燥フィルタＦ２との間のスペースＳに前側Ｙ１から臨む。給水口４２Ｊのうち前側Ｙ１の第２給水口４２ＪＢは、乾燥フィルタＦ２の縦面部Ｆ２Ａと前後方向Ｙおよび左右方向Ｘにおいて同じ位置に配置され、縦面部Ｆ２Ａよりも上側Ｚ１に配置される。これにより、複数の第２給水口４２ＪＢは、対応する乾燥フィルタＦ２の縦面部Ｆ２Ａに沿って横に並び、縦面部Ｆ２Ａに上側Ｚ１から臨む。このように、給水口４２Ｊは、第１給水口４２ＪＡや第２給水口４２ＪＢのように、複数の乾燥フィルタＦに応じて複数設けられる。
【００６１】
図１１は、縦断面を含むダクト３０およびフィルタユニット２５の斜視図である。図１１では、ダクト３０のカバー３３の図示が省略される。フィルタユニット２５は、ダクト３０の配置空間３２Ｒ（図３も参照）に後側Ｙ２から嵌め込まれる。第２フィルタ部材４２の枠部４２Ａの前面部において乾燥フィルタＦ２よりも下側Ｚ２には、左右方向Ｘに延びる横リブ４２Ｌが設けられる。ダクト３０の第２縦壁３２Ｈにおいて前側Ｙ１から枠部４２Ａに対向する部分には、左右方向Ｘに延びる横溝３２ＨＡが設けられる。第１フィルタ部材４１の底壁４１Ｃがダクト３０の横仕切り板３２Ｍに載って横リブ４２Ｌが横溝３２ＨＡに嵌ることによって、フィルタユニット２５が配置空間３２Ｒ内で位置決めされる。底壁４１Ｃの係止部４１ＣＢが横仕切り板３２Ｍのスリット３２Ｐに嵌り、ボルトＢ２が係止部４１ＣＢの挿通穴４１ＣＣを通ってスリット３２Ｐのねじ穴３２Ｑに取り付けられる（図３および図６も参照）。これにより、配置空間３２Ｒ内のフィルタユニット２５は、ダクト３０に固定される。
【００６２】
ダクト３０に固定されたフィルタユニット２５の第１フィルタ部材４１では、底壁４１Ｃ、右縦壁４１ＢＡおよび左縦壁４１ＢＢが、ダクト３０の横仕切り板３２Ｍ、外壁３２Ｊおよび縦仕切り板３２Ｌ（図３参照）にそれぞれ接触する。また、フィルタユニット２５の給水カバー４３の本体部４３Ａがダクト３０の天壁３２Ｂに接触する。これにより、フィルタユニット２５は、ダクト３０の配置空間３２Ｒのほぼ全域を占め、ダクト３０内において下流空間３２Ｃおよび途中空間３２Ｋと、上流空間３２Ｓとの間に位置する。循環路２０全体で見ると、フィルタユニット２５における複数の乾燥フィルタＦは、循環路２０内においてファン２１の回転羽根２１Ａおよび加熱部２２よりも取出口２０Ｄ側に配置される（図１参照）。複数の乾燥フィルタＦにおいて、乾燥フィルタＦ１は、乾燥フィルタＦ２よりも取出口２０Ｄ側に配置される。給水カバー４３の接続部４３Ｂは、外壁３２Ｊの切欠き３２ＪＡ（図３参照）を通って配置空間３２Ｒよりも右側Ｘ１に配置される。左縦壁４１ＢＢに形成された逃がし穴４１ＢＤ（図７参照）は、縦仕切り板３２Ｌの貫通穴３２Ｎ（図３参照）に右側Ｘ１から連通する。
【００６３】
分岐路２６は、給水路４において給水弁１１よりも蛇口に近い上流部から分岐し、給水カバー４３の接続部４３Ｂの管部４３ＢＤに接続される。注水弁２７は、分岐路２６に設けられる（図１参照）。注水弁２７は、給水路４から分岐路２６に流れる水を管部４３ＢＤに供給したり、その供給を停止したりするために開閉される。注水弁２７の開閉は、制御部２４（図１参照）によって制御される。注水弁２７は、前述した給水部５０を構成する。
【００６４】
乾燥工程では、前述したようにファン２１および加熱部２２によって熱風が発生して循環する。この熱風は、循環路２０内において取出口２０Ｄから戻し口２０Ｅへ向かい、その途中の後部分２０Ｂでは上昇しながらファン２１に向かう（図１の太い破線の矢印参照）。図１２は、縦断面を含む外槽３および乾燥ユニット９の要部斜視図である。図１１および図１２を参照して、後部分２０Ｂを構成するダクト３０内において、熱風は、太い破線の矢印で示すように、取出口２０Ｄから上流空間３２Ｓを経て上昇し、フィルタユニット２５の乾燥フィルタＦ１および乾燥フィルタＦ２をこの順に前側Ｙ１へ通過する。そして、この熱風は、途中空間３２Ｋを経由して下流空間３２Ｃに到達し、接続ホース３１の内部を上昇してファン２１のケーシング２９内に流入する（図２も参照）。このように、乾燥フィルタＦ１および乾燥フィルタＦ２は、循環路２０内での空気の流れ方向（各図の太い破線の矢印の方向）に重なって配置される。
【００６５】
乾燥フィルタＦ１の縦面部Ｆ１Ａおよび乾燥フィルタＦ２の縦面部Ｆ２Ａは、循環路２０の上流側を向くように配置されて、循環路２０内の熱風から異物Ｔ（図１１参照）を捕獲する。乾燥工程が進むにつれて、多くの異物Ｔが捕獲されて縦面部Ｆ１Ａおよび縦面部Ｆ２Ａに溜まっていく。これにより、循環路２０内においてこれらの乾燥フィルタＦよりも取出口２０Ｄから下流側に離れて設けられた加熱部２２に異物Ｔが付着することを抑制できる。特に、縦面部Ｆ１Ａで捕獲できなかった異物Ｔは、縦面部Ｆ２Ａによって捕獲されるので、異物Ｔが流出して加熱部２２に付着するリスクを低減できる。さらに、乾燥フィルタＦ１と乾燥フィルタＦ２との間のスペースＳは、一対の縦壁４１Ｂによって横から挟まれ、底壁４１Ｃによって下側Ｚ２から塞がれ、給水部５０によって上側Ｚ１から塞がれる。これにより、乾燥フィルタＦ１を通過してスペースＳに到達した空気が、次の乾燥フィルタＦ２に到達せずにスペースＳの外へ漏れ出すことを防止できる。そのため、循環路２０内を流れる空気が、複数の乾燥フィルタＦを確実に順に通過するので、これらの乾燥フィルタＦによって、循環路２０内を流れる空気から、より多くの異物Ｔを捕獲することができる。
【００６６】
図１３は、ダクト３０およびフィルタユニット２５の斜視図である。図１３では、ダクト３０のカバー３３の図示が省略される。ダクト３０内の左端に位置する縦空間３２Ｔの下領域には、縦仕切り板３２Ｌの貫通穴３２Ｎを開閉する扉５１が設けられる。扉５１は、上下方向Ｚに長手の長方形板状であり、その上端を通る回動軸５２を介して縦仕切り板３２Ｌに支持され、回動軸５２まわりに左右方向Ｘに回動可能である。図１３の扉５１は、縦仕切り板３２Ｌに沿って貫通穴３２Ｎを左側Ｘ２から閉じた閉位置にある。乾燥工程において取出口２０Ｄからダクト３０の上流空間３２Ｓに流入した空気が縦空間３２Ｔの下領域に到達しても、扉５１は、この空気によって閉位置へ向けて付勢される。そのため、上流空間３２Ｓの空気が、乾燥フィルタＦ１を通過せずに、貫通穴３２Ｎおよびフィルタユニット２５の逃がし穴４１ＢＤ（図７参照）を通って乾燥フィルタＦ２側へ流れることが抑制される。つまり、上流空間３２Ｓの空気を、必ず乾燥フィルタＦ１を通過するように流すことができる。
【００６７】
図１４のフローチャートを参照して、制御部２４は、乾燥工程の開始に応じて、ファン２１および加熱部２２を作動させることによって熱風を発生させて循環させ、洗濯槽７内の洗濯物Ｌに供給する。乾燥工程が開始してから例えば２０分の所定時間が経過するまでの間は、熱風の循環が安定しない。この２０分が経過すると（ステップＳ１でＹＥＳ）、制御部２４は、電流センサ２３Ａが検出するファン２１の電流値を確認する（ステップＳ２）。
【００６８】
捕獲されて乾燥フィルタＦに付着する異物Ｔの付着量が増えると、乾燥フィルタＦにおいて空気が通過できる領域が減少して乾燥フィルタＦの通気性が低下する。これにより、循環路２０内においてファン２１の回転羽根２１Ａと乾燥フィルタＦとの間の領域Ｋ（図１参照）で空気が流れにくくなる。すると、ファン２１の回転に対する空気抵抗が減少するので、これに応じてファン２１の電流値が低下する。ファン２１の電流値は、乾燥フィルタＦにおける異物Ｔの付着量、つまり乾燥フィルタＦの通気性を示す指標である。乾燥フィルタＦにおける異物Ｔの付着量が所定量を上回ると、ファン２１の電流値が所定値を下回る。このように、ファン２１の電流値を検出する電流センサ２３Ａは、乾燥フィルタＦにおける異物Ｔの付着量を検出する付着量検出手段を構成する。
【００６９】
乾燥フィルタＦにおける異物Ｔの付着量が少ないことにより、ファン２１の電流値が所定値以上であれば（ステップＳ２でＮＯ）、制御部２４は、乾燥工程を終了するための終了条件が満たされたか否かを確認する（ステップＳ３）。終了条件が満たされることの一例は、例えば乾燥工程開始から所定の乾燥時間が経過することや、洗濯物Ｌの乾燥率が所定値に到達することである。洗濯物Ｌの乾燥することによって終了条件が満たされると（ステップＳ３でＹＥＳ）、制御部２４は、ファン２１および加熱部２２を停止させることによって乾燥工程を終了する。終了条件が満たされなければ（ステップＳ３でＮＯ）、制御部２４は、乾燥工程を継続して（ステップＳ４）、ステップＳ２以降の処理を繰り返す。
【００７０】
乾燥フィルタＦにおける異物Ｔの付着量が所定量を上回るほど多いことにより、ファン２１の電流値が所定値を下回ると（ステップＳ２でＹＥＳ）、制御部２４は、異物Ｔの付着量が所定量を上回ったと判断し、ファン２１および加熱部２２を停止させることによって乾燥工程を中断し（ステップＳ５）、掃除工程を実行する（ステップＳ６）。掃除工程として、制御部２４は、給水部５０の注水弁２７を開く。なお、給水弁１１が給水路４における分岐路２６の分岐位置よりも蛇口に近い上流側に設けられてもよく、その場合には、制御部２４は、掃除工程として、給水弁１１および注水弁２７の両方を開く。蛇口からの水は、給水路４および分岐路２６を経由して、給水カバー４３の管部４３ＢＤの流入口４３ＣＡから流路４３Ｃ内に流入する。
【００７１】
流路４３Ｃ内に流入した水は、流路４３Ｃ内から各給水口４２Ｊに流出して各給水口４２Ｊから噴射される。給水口４２Ｊのうち第１給水口４２ＪＡから噴射された水は、図１３において太い破線の矢印で示すように、乾燥フィルタＦ１の縦面部Ｆ１Ａに上側Ｚ１から浴びせられて、縦面部Ｆ１Ａを伝って流れ落ちる。縦面部Ｆ１Ａに付着した異物Ｔは、縦面部Ｆ１Ａを流れ落ちる水によって縦面部Ｆ１Ａから剥がされて、そのままダクト３０の上流空間３２Ｓに落下し、取出口２０Ｄに到達する。乾燥フィルタＦ１の周辺には、水や異物Ｔが落下する方向に延びる縦リブ４１Ｆが設けられるので、乾燥フィルタＦ１から除去された異物Ｔは、縦リブ４１Ｆに引っ掛かることなく円滑に落下する。ダクト３０において上流空間３２Ｓを区画する外壁３２Ｊなどには、取出口２０Ｄへ向けて傾斜したガイド部３０Ａが設けられ、ガイド部３０Ａは、異物Ｔや水を取出口２０Ｄへガイドする。取出口２０Ｄに到達した異物Ｔは、取出口２０Ｄから外槽３内に落下し、外槽３内に溜まる。各第１給水口４２ＪＡから縦面部Ｆ１Ａに浴びせられた水も、異物Ｔと同様に、ダクト３０から外槽３内に落下し、外槽３内に溜まる。
【００７２】
取出口２０Ｄに最も近い乾燥フィルタＦ１の縦面部ＦＡ１は、循環路２０を構成する上流空間３２Ｓ内に直接露出される。そのため、第１給水口４２ＪＡから縦面部ＦＡ１に給水されると、縦面部ＦＡ１に付着した異物Ｔは、縦面部ＦＡ１から剥がれた後に速やかに循環路２０内を落下して取出口２０Ｄから外槽３内に到達する。ダクト３０において取出口２０Ｄを縁取る下連結部３２Ｉは、外槽３の背面壁３Ｂの貫通孔３Ｋ内に後側Ｙ２から挿入されて、下連結部３２Ｉの前端は、背面壁３Ｂの前面部から外槽３内に露出される（図１２参照）。つまり、取出口２０Ｄから外槽３内に至るまでの間には、段差などの障害物が存在しないので、異物Ｔは、途中で引っ掛かることなく取出口２０Ｄから外槽３内に到達できる。
【００７３】
図１５は、ダクト３０およびフィルタユニット２５の斜視図である。図１５では、ダクト３０のカバー３３および第１フィルタ部材４１の図示が省略され、第２フィルタ部材４２の乾燥フィルタＦ２が露出して図示される。給水口４２Ｊのうち第２給水口４２ＪＢから噴射された水は、太い破線の矢印で示すように、乾燥フィルタＦ２の縦面部Ｆ２Ａに上側Ｚ１から浴びせられて、縦面部Ｆ２Ａを伝って流れ落ちる。縦面部Ｆ２Ａに付着した異物Ｔは、縦面部Ｆ２Ａを流れ落ちる水によって縦面部Ｆ２Ａから剥がされ、乾燥フィルタＦ１と乾燥フィルタＦ２との間のスペースＳを落下して、第１フィルタ部材４１の底壁４１Ｃの上面部４１ＣＡに載る。乾燥フィルタＦ２の周辺には、水や異物Ｔが落下する方向に延びる縦リブ４２Ｄが設けられるので、乾燥フィルタＦ２から除去された異物Ｔは、縦リブ４２Ｄに引っ掛かることなく円滑に落下する。
【００７４】
スペースＳは、乾燥フィルタＦ１および乾燥フィルタＦ２によって前後方向Ｙから挟まれ、右縦壁４１ＢＡおよび左縦壁４１ＢＢによって横から挟まれ、底壁４１Ｃによって下側Ｚ２から塞がれる（図７も参照）。そのため、底壁４１Ｃの上面部４１ＣＡ上の水および異物Ｔは、上面部４１ＣＡの傾斜に沿って滑り落ちて必ず左側Ｘ２へ向かい、第１フィルタ部材４１の逃がし穴４１ＢＤおよび縦仕切り板３２Ｌの貫通穴３２Ｎに到達する。つまり、底壁４１Ｃの上面部４１ＣＡ上の水および異物Ｔの行き先が、逃がし穴４１ＢＤに定められる。貫通穴３２Ｎに到達した水および異物Ｔは、扉５１を右側Ｘ１から押す。これにより、扉５１が、図１５に示すように、今までの閉位置から左側Ｘ２へ回動して逃がし穴４１ＢＤおよび貫通穴３２Ｎを開くので、上面部４１ＣＡ上の水および異物Ｔは、逃がし穴４１ＢＤおよび貫通穴３２Ｎを通ってスペースＳの外に出てダクト３０の縦空間３２Ｔの下領域で落下し、取出口２０Ｄに到達する。取出口２０Ｄに到達した異物Ｔおよび水は、取出口２０Ｄから外槽３内に落下して溜まる。異物Ｔや水が逃がし穴４１ＢＤおよび貫通穴３２Ｎを通過した後、扉５１は、自重または付勢部材（図示せず）の付勢力などによって閉位置（図１３参照）に戻る。
【００７５】
注水弁２７が開いてから例えば５秒間の所定時間が経過すると、制御部２４は、注水弁２７を閉じることによって給水部５０への給水を停止する。これにより、掃除工程が終了する。掃除工程が終了したときの各乾燥フィルタＦは、濡れた状態にある。そこで、制御部２４は、図１４に示すように、掃除工程後の水除去工程として、ファン２１を例えば６分間の所定時間作動させる（ステップＳ７）。これにより、空気が外槽３と循環路２０との間で循環するので、各乾燥フィルタＦには、外槽３から循環路２０に流れ込む空気が浴びせられる。これにより、各乾燥フィルタＦから水が除去されることによって各乾燥フィルタＦが乾燥する。
【００７６】
なお、加熱部２２も作動することによって、熱風が循環してもよく、これにより、乾燥フィルタＦの乾燥が促進される。このように使用者が乾燥フィルタＦを乾燥させなくてもよいので、乾燥フィルタＦに関するメンテナンス性の一層の向上を図れる。制御部２４は、水除去工程後に、ステップＳ３以降の処理を実行する。そのため、終了条件が満たされなければ（ステップＳ３でＮＯ）、制御部２４は、乾燥工程を再開して（ステップＳ４）、ファン２１および加熱部２２の両方を作動させ、ステップＳ２以降の処理を繰り返す。
【００７７】
制御部２４は、乾燥工程終了後または乾燥工程中に、排水弁１２を開く。なお、注水弁２７が開いた状態において、排水弁１２も常に開かれてもよい。排水弁１２が開くと、外槽３内に溜まった水が、異物Ｔを乗せて排水路５に流れ込む。つまり、異物Ｔは、外槽３の排水時に外槽３内から除去される。排水路５に流れ込んだ異物Ｔは、排水フィルタ６（図１参照）によって捕獲される。排水フィルタ６によって捕獲された異物Ｔは、適当なタイミングにおいて使用者が排水フィルタ６を取り外してメンテナンスする際に除去される。
【００７８】
以上のように、洗濯乾燥機１では、乾燥工程中における所定のタイミングにおいて、掃除工程が実行され、その際、給水部５０が、複数の乾燥フィルタＦの縦面部ＦＡに上側Ｚ１から給水する。つまり、洗濯乾燥機１が乾燥フィルタＦの自動メンテナンス機能を有するので、乾燥フィルタＦは、ある程度汚れた適切なタイミングに自動メンテナンスされる。そのため、使用者が乾燥フィルタＦを取り外してメンテナンスする作業が不要である。よって、乾燥フィルタＦに関するメンテナンス性の向上を図れる。特に、フィルタユニット２５では、取出口２０Ｄに最も近い乾燥フィルタＦ１の縦面部Ｆ１Ａで捕獲された異物Ｔだけでなく、スペースＳを挟んで乾燥フィルタＦ１に重なる乾燥フィルタＦ２の縦面部Ｆ２Ａで捕獲された異物Ｔも、給水部５０による給水によって外槽３内へ送り込まれる。よって、使用者は、乾燥フィルタＦを取り外してスペースＳから異物Ｔを除去しなくてもよいので、乾燥フィルタＦに関するメンテナンス性の向上を一層図れる。
【００７９】
また、乾燥フィルタＦにおける異物Ｔの付着量は、ファン２１の電流値に基いて検出され、異物Ｔの付着量が所定量を上回ると（ステップＳ２でＹＥＳ）、掃除工程が実行される（ステップＳ６）。異物Ｔが塊状に大きくなるまで乾燥フィルタＦに堆積し、その後に乾燥フィルタＦから剥がれ落ちると、塊状の異物Ｔが、排水路５のどこかの領域に詰まったり、外槽３と洗濯槽７との隙間に詰まったりするおそれがある。異物Ｔがこのように大きくなる前のタイミングにおいて掃除工程が実行されるので、剥がれた異物Ｔの詰まりを防止できる。
【００８０】
また、ステップＳ７での水除去工程により、水膜による乾燥フィルタＦの目詰りを解消して乾燥フィルタＦの通気性を回復できるので、その後の乾燥工程（ステップＳ４）では、空気が乾燥フィルタＦを円滑に通過できることによって循環路２０と外槽３との間で円滑に循環できる。そのため、洗濯槽７内の洗濯物Ｌを効果的に乾燥させることができる。そして、使用者は、掃除工程によって濡れた乾燥フィルタＦを取り外して乾かさなくてよいので、乾燥フィルタＦに関するメンテナンス性の一層の向上を図れる。
【００８１】
水除去工程におけるファン２１の回転数は、乾燥工程におけるファン２１の回転数よりも低く、例えば乾燥工程におけるファン２１の回転数の５０％程度に設定される。これにより、水除去工程中では、循環路２０内を流れる空気の勢いを抑えることができる。そのため、乾燥フィルタＦから除去された水が、循環路２０内を流れる空気に乗ってファン２１よりも戻し口２０Ｅ側の加熱部２２に到達して加熱部２２を濡らすことを防止できる。これにより、加熱部２２の故障を防止できるので、メンテナンス性の向上を図れる。
【００８２】
また、乾燥工程中に異物Ｔや水膜によって乾燥フィルタＦが目詰まりすると、循環路２０において空気が流れにくくなることによって、加熱部２２において熱交換ができなくなるので、この状態でファン２１および加熱部２２が作動し続けると、ヒートポンプの配管２２Ｂ内の冷媒の温度が上昇して、冷媒の圧力が急上昇する。しかし、前述したように掃除工程や水除去工程が実行されることによって乾燥フィルタＦの通気性が適宜改善されるので、冷媒の圧力の急上昇を防止して、ヒートポンプを安定して作動させることができる。
【００８３】
この発明は、以上に説明した実施形態に限定されるものではなく、請求項に記載の範囲内において種々の変更が可能である。
【００８４】
例えば、前述した実施形態では、電流センサ２３Ａが検出するファン２１の電流値に基いて乾燥フィルタＦにおける異物Ｔの付着量を検出したが、この構成と組み合わせて、例えばヒートポンプの配管２２Ｂを流れる冷媒の温度を温度計（図示せず）によって検出して、その温度に基いて異物Ｔの付着量を検出してもよい。この場合には、冷媒の温度を検出する温度計が、電流センサ２３Ａと同様に、前述した付着量検出手段を構成する。異物Ｔの付着量が所定量を上回ると、制御部２４は、掃除工程を実行する。
【００８５】
また、前述した実施形態では、乾燥フィルタＦは、乾燥フィルタＦ１および乾燥フィルタＦ２の２つであったが、３つ以上の乾燥フィルタＦが重ねて配置されてもよい。その場合、ダクト３０の取出口２０Ｄに最も近い乾燥フィルタＦ１以外の各乾燥フィルタＦの縦面部ＦＡには、前述した乾燥フィルタＦ２と同様に、異物Ｔを除去するために水が上側Ｚ１から浴びせられる。複数の乾燥フィルタＦでは、縦面部ＦＡが循環路２０の取出口２０Ｄ側つまり上流側を向くように縦に配置されるが、これらの縦面部ＦＡは、平行に配置されてもよいし、平行に配置されなくてもよい。また、各縦面部ＦＡは、垂直方向に沿って配置されてもよいし、垂直方向に対して傾斜して配置されてもよい。
【００８６】
乾燥フィルタＦの縦面部ＦＡから取り除かれた異物Ｔや、縦面部ＦＡに浴びせられた水は、前述した実施形態では、循環路２０の取出口２０Ｄから外槽３を経由して排水路５に向かう。これに代え、ダクト３０の本体３２の外壁３２Ｊにおいて縦面部ＦＡよりも下側Ｚ２の下端部に、逃がし穴（図示せず）を設けて、排水路５において例えば排水フィルタ６よりも上流側の部分と逃がし穴とを流路（図示せず）によってつないでもよい。これにより、ダクト３０内の異物Ｔや水を、外槽３を経由させずに、逃がし穴および流路から排水路５に到達させることができる。これにより、洗濯槽７内の洗濯物Ｌに異物Ｔや水が付着することを防止できる。
【００８７】
洗濯乾燥機１では、排水フィルタ６が省略されてもよい。この場合には、各乾燥フィルタＦで捕獲されて外槽３に流された異物Ｔは、外槽３の排水時に排水路５（図１参照）を通って機外に排出される。
【００８８】
前述した実施形態におけるドラム式の洗濯乾燥機１では、軸線Ｊが水平方向Ｈに傾斜するように洗濯槽７が配置されてもよい。また、洗濯乾燥機１は、軸線Ｊが縦に延びる縦型の洗濯乾燥機であってもよい。
【符号の説明】
【００８９】
１        洗濯乾燥機
３        外槽
７        洗濯槽
２０      循環路
２０Ｄ    取出口
２０Ｅ    戻し口
２１      ファン
２２      加熱部
２３Ａ    電流センサ
２４      制御部
５０      給水部
Ｆ        乾燥フィルタ
Ｌ        洗濯物
Ｔ        異物
【図１】
2020178914.tif 000003
【図２】
2020178914.tif 000004
【図３】
2020178914.tif 000005
【図４】
2020178914.tif 000006
【図５】
2020178914.tif 000007
【図６】
2020178914.tif 000008
【図７】
2020178914.tif 000009
【図８】
2020178914.tif 000010
【図９】
2020178914.tif 000011
【図１０】
2020178914.tif 000012
【図１１】
2020178914.tif 000013
【図１２】
2020178914.tif 000014
【図１３】
2020178914.tif 000015
【図１４】
2020178914.tif 000016
【図１５】
2020178914.tif 000017